(57)【要約】【課題】  送信側の処理負荷を軽減でき、要求時点から要求映像を表示させるまでの時間を短縮できる映像データ送信システムを提供する。【解決手段】    本発明は、ネットワークを介して映像データを相手端末に送信する映像データ送信システムに関する。本発明のシステムは、映像データから、予めネットワークへ送出する際の形式の回線伝送形式映像データを作成しておく送信用映像データ作成手段と、作成された回線伝送形式映像データを格納する回線伝送形式映像データ格納手段と、相手端末からの映像データの送信が求められたときに、映像データから回線伝送形式映像データを作成させることなく、回線伝送形式映像データ格納手段に格納されている回線伝送形式映像データを送信させる伝送制御手段とを有する。【選択図】      図１
2007019953.tif 000002
【特許請求の範囲】
【請求項１】
ネットワークを介して映像データを相手端末に送信する映像データ送信システムにおいて、
上記映像データから、予め上記ネットワークへ送出する際の形式の回線伝送形式映像データを作成しておく送信用映像データ作成手段と、
上記送信用映像データ作成手段が作成した上記回線伝送形式映像データを格納する回線伝送形式映像データ格納手段と、
上記相手端末からの映像データの送信が求められたときに、上記映像データから上記回線伝送形式映像データを作成させることなく、上記回線伝送形式映像データ格納手段に格納されている上記回線伝送形式映像データを送信させる伝送制御手段と
を有することを特徴とする映像データ送信システム。
【請求項２】
上記送信用映像データ作成手段は、同一の上記映像データから、複数種類の回線伝送形式映像データを作成し、
上記伝送形式映像データ格納手段は、その複数種類の回線伝送形式映像データを格納しておき、
上記伝送制御手段は、上記相手端末からの映像データの送信が求められたときに、上記回線伝送形式映像データ格納手段に格納されている複数種類の上記回線伝送形式映像データの中から１種類を選択して上記相手端末に送信させる
ことを特徴とする請求項１に記載の映像データ送信システム。
【請求項３】
上記伝送制御手段は、通信チャネルの状態を実測し、選択している上記回線伝送形式映像データの種類を動的に見直すことを特徴とする請求項２に記載の映像データ送信システム。
【発明の詳細な説明】
【技術分野】
【０００１】
本発明は映像データ送信システムに関し、例えば、テレビ電話機に対して教育用映像データや保守用映像データ等の汎用的な映像データを送信するシステムに適用し得るものである。
【背景技術】
【０００２】
ＩＰテレビ電話機やテレビ電話機等の映像データ及び音声データの双方を受信可能な端末に対し、汎用的な映像データを送信するシステムが種々開発、検討されている。例えば、ある装置の部品の交換方法（例えばコピー機のトナーの交換方法）を示す映像データを、ユーザがテレビ電話機を介して取得できるようにする保守サービスシステムや、所定の講義を撮像して得た映像データをテレビ電話機等に送信するｅラーニングシステムなどが開発、検討されている。
【０００３】
従来、Ｗｉｎｄｏｗｓ  Ｍｅｄｉａ（マイクロソフト社のソフト名）形式などのパソコンなどで再生できる一般的な映像データファイルの内容を、通信によって、相手端末に出力するためには、図２に示すように、映像データ送信装置１において、映像データファイル２を、通信相手に応じたＨ．２６３等の圧縮データ形式にエンコードし直す処理（Ｓ１）を行い、さらに、ＲＴＰ等のデータ転送プロトコルのペイロードデータとして格納する処理（Ｓ２）を行ってから、ネットワークに送出する必要があった（例えば、特許文献１参照）。
【０００４】
なお、図２は、転送先端末がテレビ電話機３又はＩＰテレビ電話機４である場合を例に示している。テレビ電話機３は、ＩＳＤＮ網であるテレビ電話網５、ＩＰ及びＩＳＤＮ間のフォーマット変換などを行うゲートウェイ６、ＬＡＮ７を介して映像データ送信装置１に接続され、ＩＰテレビ電話機４は、ＩＰ網８、ＬＡＮ７を介して映像データ送信装置１に接続される。
【特許文献１】特開２００５−０３９３４２号公報
【発明の開示】
【発明が解決しようとする課題】
【０００５】
しかしながら、従来の汎用的な映像データの送信方式では、通信チャネル毎に、映像データファイルのエンコード処理が必要なため、汎用的な映像データを送信するサービスにおいては、映像データを送信するチャネル数に比例してそのサービスを提供する機器（パソコン、サーバ等のコンピュータ）に対する負荷が増大するという問題があった。
【０００６】
また、通信チャネルの確立後に、映像データのエンコード処理を行うため、通信チャネルの確立から、テレビ電話機やＩＰテレビ電話機などの映像データを受信して表示する端末側で映像が再生されるまでに時間がかかる場合があった。
【０００７】
そのため、送信側の処理負荷を軽減すると共に、要求時点から要求映像を表示させるまでの時間を短縮し得る映像データ送信システムが望まれている。
【課題を解決するための手段】
【０００８】
本発明は、ネットワークを介して映像データを相手端末に送信する映像データ送信システムにおいて、（１）上記映像データから、予め上記ネットワークへ送出する際の形式の回線伝送形式映像データを作成しておく送信用映像データ作成手段と、（２）上記送信用映像データ作成手段が作成した上記回線伝送形式映像データを格納する回線伝送形式映像データ格納手段と、（３）上記相手端末からの映像データの送信が求められたときに、上記映像データから上記回線伝送形式映像データを作成させることなく、上記回線伝送形式映像データ格納手段に格納されている上記回線伝送形式映像データを送信させる伝送制御手段とを有することを特徴とする。
【発明の効果】
【０００９】
本発明の映像データ送信システムによれば、映像データの送信が求められる前に、回線伝送形式映像データを作成しておき、映像データの送信が求められたときに、作成しておいた回線伝送形式映像データを送信するようにしたので、送信側の処理負荷を軽減すると共に、要求時点から要求映像を表示させるまでの時間を短縮することができる。
【発明を実施するための最良の形態】
【００１０】
（Ａ）実施形態
以下、本発明による映像データ送信システムの一実施形態を、図面を参照しながら説明する。
【００１１】
（Ａ−１）実施形態の構成
図１は、この実施形態の映像データ送信システムの全体構成を示しており、上述した図２との同一、対応部分には同一符号を付して示している。
【００１２】
図１において、この実施形態の映像データ送信システム１０は、機能的には、映像データ送信装置１１及び送信用映像データ作成装置１２を有しており、図１に示す例では、映像データ送信装置１１及び送信用映像データ作成装置１２は共にＬＡＮ７に接続している。
【００１３】
送信用映像データ作成装置１２は、動画又は静止画でなる同一の原映像データファイルＯＦから、レートが異なる複数種類（図１の例は３種類であり、以下、３種類として説明する）の回線伝送形式映像データファイル（送信用映像データファイル）ＳＦＨ、ＳＦＭ、ＳＦＬを作成するものである。映像データ送信装置１１は、送信用映像データ作成装置１２が作成した３種類の回線伝送形式映像データファイルＳＦＨ、ＳＦＭ、ＳＦＬを格納し、映像データを要求したユーザの装置能力などに応じて、３種類の回線伝送形式映像データファイルＳＦＨ、ＳＦＭ、ＳＦＬの中から、送信するものを定めて送信するものである。
【００１４】
ここで、回線伝送形式映像データファイルＳＦＨ、ＳＦＭ、ＳＦＬは、後述するように、回線上に送信するデータ転送プロトコル上のデータを、そのフォーマットを使用して保持しているものになっている。
【００１５】
送信用映像データ作成装置１２は、例えば、映像データ送信装置１１を構成しているサーバと同一のサーバ、又は、別のサーバで構成されている。なお、送信用映像データ作成装置１２は、映像データ送信装置１１のクライアントとして構成されたものであっても良い。送信用映像データ作成装置１２は、ハードウェア的には、ＣＰＵ、ＲＯＭ、ＲＡＭなどでなる制御部、通信部、記憶媒体アクセス部、入力部、表示部などを有するものであるが、機能的には、図３に示すような構成を有する。
【００１６】
図３において、送信用映像データ作成装置１２は、原映像データファイル格納部２０、３種類のエンコード部２１Ｈ、２１Ｍ、２１Ｌ、３種類の転送プロトコルヘッダ付加部２２Ｈ、２２Ｍ、２２Ｌ、３種類のデータヘッダ付加部２３Ｈ、２３Ｍ、２３Ｌ、３種類の回線伝送形式映像データファイル格納部２４Ｈ、２４Ｍ、２４Ｌ、及び、ファイル転送部２５を有する。
【００１７】
原映像データファイル格納部２０は、Ｗｉｎｄｏｗｓ  Ｍｅｄｉａ形式やビットマップ形式などの一般的な形式の原映像データファイルＯＦを格納しているものである。原映像データファイルＯＦは、記憶媒体を介して入力されたものであっても良く、外部装置から転送によって入力されたものであっても良く、当該送信用映像データ作成装置１２を構成するサーバ上で作成されたものであっても良い。
【００１８】
エンコード部２１Ｈ、２１Ｍ、２１Ｌはそれぞれ、高レート、中レート、低レート用のものであって、原映像データファイルＯＦを、Ｈ．２６３形式又はそれ以外の形式の圧縮データへフレーム毎にエンコードし、ペイロードヘッダを付加するものである。エンコード部２１Ｈ、２１Ｍ、２１Ｌは、１フレームのサイズが使用するネットワークプロトコルの制限よりも大きいようならばフレームの分割を行う。このフレーム毎のデータ（分割した場合は分割フレーム毎のデータ）が、図４に示す、回線伝送形式映像データファイルＳＦ（ＳＦＨ、ＳＦＭ、ＳＦＬ）のデータ１単位の映像データ及びそのペイロードヘッダ部Ｒ３となっている。
【００１９】
転送プロトコルヘッダ付加部２２Ｈ、２２Ｍ、２２Ｌは、対応するエンコード部２１Ｈ、２１Ｍ、２１Ｌがエンコードしたフレーム単位（分割した場合は分割フレーム単位）に、ＲＴＰヘッダ又はそれ以外のデータ転送プロトコル用ヘッダを付加するものである。これが、図４に示す回線伝送形式映像データファイルＳＦのデータ１単位のデータ転送プロトコルヘッダ部となっている。
【００２０】
データヘッダ付加部２３Ｈ、２３Ｍ、２３Ｌは、対応する転送プロトコルヘッダ付加部２２Ｈ、２２Ｍ、２２Ｌが付加したデータ転送プロトコルヘッダ単位に、データヘッダを付加するものである。データヘッダの付加内容は、データの区切りとデータ１単位毎のサイズとデータの送信間隔と映像データ送信装置１１で必要な制御用データとなる。データヘッダ付加部２３Ｈ、２３Ｍ、２３Ｌは、データを単位毎に順番になるように、対応する回線伝送形式映像データファイル格納部２４Ｈ、２４Ｍ、２４Ｌに書き込む。
【００２１】
回線伝送形式映像データファイル格納部２４Ｈ、２４Ｍ、２４Ｌは、作成された回線伝送形式映像データファイルＳＦＨ、ＳＦＭ、ＳＦＬを格納しているものである。なお、３種類の回線伝送形式映像データファイル格納部２４Ｈ、２４Ｍ、２４Ｌはハードウェア的に分離されている必要はなく、機能的に分離されていれば良い。
【００２２】
このようにして回線伝送形式映像データファイル格納部２４Ｈ、２４Ｍ、２４Ｌに格納された回線伝送形式映像データファイルＳＦＨ、ＳＦＭ、ＳＦＬはそれぞれ、図４に示すように、データヘッダ部Ｒ１、データ転送プロトコルヘッダ部Ｒ２、映像データ及びそのペイロードヘッダ部Ｒ３でなるデータの１単位を、原映像データファイルＯＦの容量に応じた個数有するものとなる。
【００２３】
ファイル転送部２５は、回線伝送形式映像データファイル格納部２４Ｈ、２４Ｍ、２４Ｌに格納された回線伝送形式映像データファイルＳＦＨ、ＳＦＭ、ＳＦＬをＬＡＮ７を介して映像データ送信装置１１に転送するものである。ここで、ファイル転送部２５は、映像データ送信装置１１からの要求により転送するものであっても良く、回線伝送形式映像データファイルＳＦＨ、ＳＦＭ、ＳＦＬの作成完了により自動的に転送するものであっても良く、当該送信用映像データ作成装置１２に対するオペレータの操作に応じて転送するものであっても良い。なお、映像データ送信装置１１に対し、記憶媒体を利用して、回線伝送形式映像データファイルＳＦＨ、ＳＦＭ、ＳＦＬを与えるようにしても良い。
【００２４】
映像データ送信装置１１は、例えば、サーバで構成され、ハードウェア的には、ＣＰＵ、ＲＯＭ、ＲＡＭなどでなる制御部、通信部、記憶媒体アクセス部、入力部、表示部などを有するものであるが、実施形態の特徴との関係から見て、機能的には、図５に示すような構成を有する。
【００２５】
図５において、映像データ送信装置１１は、通信部３０、転送制御部３１、回線伝送形式映像データファイル格納部３２Ｈ、３２Ｍ、３２Ｌ、及び、ユーザ情報記憶部３３を有する。これら構成要素は、複数のユーザへの並列送信が可能なように、適宜の数だけ設けられている。
【００２６】
通信部３０は、例えば、ＬＡＮインタフェース部などが該当し、ＬＡＮ７との間で通信データ（ＩＰパケット）を授受するものである。
【００２７】
転送制御部３１は、テレビ電話機３やＩＰテレビ電話機４側からの要求により、回線伝送形式映像データファイル格納部３２Ｈ、３２Ｍ、３２Ｌに格納されている、３種類の回線伝送形式映像データファイルＳＦＨ、ＳＦＭ、ＳＦＬのうちのいずれかをテレビ電話機３やＩＰテレビ電話機４側に送信させるものである。転送制御部３１は、例えば、転送時には、回線伝送形式映像データファイルを読み込み、読み込み内容をデータの単位毎に順番にＵＤＰやＴＣＰ等のネットワークプロトコルのデータとして回線（ＬＡＮ７）に送信させるものである。転送制御部３１は、３種類の回線伝送形式映像データファイルＳＦＨ、ＳＦＭ、ＳＦＬのうちのいずれを送信させるかの決定部３１Ａを内蔵している。
【００２８】
なお、回線伝送形式映像データファイルＳＦＨ、ＳＦＭ、ＳＦＬが、送信用映像データ作成装置１２からファイル転送により与えられる場合には、転送制御部３１は、受信した回線伝送形式映像データファイルＳＦＨ、ＳＦＭ、ＳＦＬを回線伝送形式映像データファイル格納部３２Ｈ、３２Ｍ、３２Ｌに格納させる機能をも有している。
【００２９】
回線伝送形式映像データファイル格納部３２Ｈ、３２Ｍ、３２Ｌは、転送されてきた回線伝送形式映像データファイルＳＦＨ、ＳＦＭ、ＳＦＬを格納しているものである。ここでも、３種類の回線伝送形式映像データファイル格納部３２Ｈ、３２Ｍ、３２Ｌはハードウェア的に分離されている必要はなく、機能的に分離されていれば良い。
【００３０】
ユーザ情報記憶部３３は、映像データファイルの転送を要求し得るユーザ情報を格納しているものである。ユーザ情報記憶部３３は、例えば、転送制御部３１がユーザの認証に適用する情報を格納しているものである。
【００３１】
（Ａ−２）実施形態の動作
次に、以上のような構成を有する実施形態の映像データ送信システム１０の動作を説明する。
【００３２】
実施形態の映像データ送信システム１０においては、まず、送信用映像データ作成装置１２によって原映像データファイルＯＦから３種類の回線伝送形式映像データファイルＳＦＨ、ＳＦＭ、ＳＦＬを作成し、次に、映像データ送信装置１１によっていずれかの回線伝送形式映像データファイルＳＦＨ、ＳＦＭ又はＳＦＬを回線に送出する。
【００３３】
送信用映像データ作成装置１２においては、一般的形式の原映像データファイルＯＦを取り込み、原映像データファイルＯＦを圧縮データへフレーム毎にエンコードし、ペイロードヘッダを付加する。次に、エンコードしたフレーム単位に、データ転送プロトコル用ヘッダを付加する。さらに次に、データ転送プロトコルヘッダ単位にデータヘッダを付加する。そして、データを単位毎に順番になるように回線伝送形式映像データファイルに書き込んで、回線伝送形式映像データファイルを完成させる。
【００３４】
このような回線伝送形式映像データファイルとして、レートが異なるものを複数種類（この実施形態では３種類）作成する。すなわち、高レートの回線伝送形式映像データファイルＳＦＨ、中レートの回線伝送形式映像データファイルＳＦＭ、低レートの回線伝送形式映像データファイルＳＦＬを作成させる。
【００３５】
作成された３種類の回線伝送形式映像データファイルＳＦＨ、ＳＦＭ、ＳＦＬは、送信用映像データ作成装置１２から、映像データ送信装置１１にファイル転送される。
【００３６】
映像データ送信装置１１は、テレビ電話機３やＩＰテレビ電話機４側からの映像データファイルの転送要求があったときには、ユーザ認証を行った後、３種類の回線伝送形式映像データファイルＳＦＨ、ＳＦＭ、ＳＦＬのうちのいずれかをテレビ電話機３やＩＰテレビ電話機４側に送信させるかを決定し、決定した回線伝送形式映像データファイルを回線に送信させる。
【００３７】
送信動作は、以下の通りである。映像データ送信装置１１はまず、該当する回線伝送形式映像データファイルＳＦ（ＳＦＨ、ＳＦＭ又はＳＦＬ）を読み込む。次に、図４に示すデータ単位毎に、データ転送プロトコルヘッダ部Ｒ２と、映像データ及びそのペイロードヘッダ部Ｒ３を取り出す。次に、取り出したデータを、ＵＤＰやＴＣＰやそれ以外のネットワークプロトコルのデータ部として設定して回線に送出する。このとき、データヘッダ部Ｒ１に設定してあるタイムスタンプ（データ送信間隔又は先頭データから時間）に従ってデータを送出する。
【００３８】
図６は、テレビ電話機３に送信させる回線伝送形式映像データファイルの決定方法の一例を示す説明図である。なお、ＩＰテレビ電話機４に送信させる回線伝送形式映像データファイルは固定的に定めておくようにしても良く（例えば、高レートの回線伝送形式映像データファイルＳＦＨ）、また、図６の場合とほぼ同様にして送信させる回線伝送形式映像データファイルを決定するようにしても良い。
【００３９】
テレビ電話機３との映像チャネルが確立すると（Ｓ１００）、映像データ送信装置１１は、定期的に（例えば３０秒毎に）、相手端末側に対して独自のレートチェックパケット（例えば、ループバックさせるパケット）を送信する（Ｓ１０１、Ｓ１０４、Ｓ１０７、Ｓ１１０）。このようなレートチェックパケットに対しては、ＩＰパケットを終端処理している（ＬＡＮ７を終端している）ゲートウェイ６が対応し、応答パケットを返信する。映像データ送信装置１１は、応答パケットを受信した時点で（Ｓ１０２、Ｓ１０５、Ｓ１０８、Ｓ１１１）、パケットの応答時間間隔（送信時点から受信時点までの時間）に基づいて、回線のレート（例えば、そのときのトラフィック量）を判定し、その判定レートに係る回線伝送形式映像データファイルＳＦＨ、ＳＦＭ又はＳＦＬのデータを送信する（Ｓ１０３、Ｓ１０６、Ｓ１０９、Ｓ１１２）。例えば、高レート、中レート、低レートと判定する応答時間間隔の範囲を予め定めておいて、レート判定を行う。
【００４０】
図６は、４回の判定結果が、高レート、中レート、低レート、高レートの場合を示している。ここで、送信に供する回線伝送形式映像データファイルを途中で切り換えるときには、データにおける各種ヘッダ部の情報に基づき、映像の連続性を補償しつつ切換を実行する。
【００４１】
上述のような応答時間間隔を用いる方法に代え、映像データ送信装置１１が送信するレートチェックパケットとして、ゲートウェイ６に対し、回線レートを返答させるパケットを送出し（ＩＰテレビ電話機７の場合（ＩＰ網８を使用する場合）であれば、ＲＴＣＰを利用するようにしても良い）、返答パケットで返答された回線レートに基づいて、送信に供する回線伝送形式映像データファイルを決定するようにしても良い。
【００４２】
なお、上記のように定期的にレートチェックパケットを送出するのではなく、映像チャネルの確立した直後に１回だけ、レート判定を行うようにしても良い。
【００４３】
（Ａ−３）実施形態の効果
実施形態の映像データ送信システムによれば、以下の効果を奏することができる。
【００４４】
映像データ送信装置ではエンコード処理の必要がなくなり、装置の負荷の軽減を図ることができ、また、相手端末（ＩＰテレビ電話機やテレビ電話機）との通信チャネルの確立から映像出力までの時間を短縮することが期待できる。
【００４５】
ここで、送信用映像データ作成装置において、回線伝送形式映像データファイルＳＦを作成する際に、指定したエンコードパラメータ（ビットレートやフレームレートや画質）に従い、複数の質の異なる映像データを作成しておくことにより、映像データ送信装置では、接続している回線の性能に合った回線伝送形式映像データファイルを選択して回線に送出することができる。
【００４６】
また、映像用圧縮データの圧縮方法やデータ転送プロトコルの変更があった場合でも、映像データ送信装置に対する変更は不要となり、システムのバージョンアップ等の変更が容易になる。
【００４７】
さらに、接続相手の能力を通信チャネル確立後に、定期的にチェックし、最適なデータファイルを選択することにより、適切なレートの映像データを送信することができる。
【００４８】
（Ｂ）他の実施形態
上記実施形態の説明においても、種々変形実施形態に言及したが、さらに、以下に例示するような変形実施形態を挙げることができる。
【００４９】
上記実施形態では、同一の原映像データファイルから３種類の回線伝送形式映像データファイルを作成する場合を示したが、種類の数は３に限定されず、１以上、任意の種類数を作成しても良い。
【００５０】
また、上記実施形態では、レートチェックパケットの送信及び応答パケットの受信によって、どの種類の回線伝送形式映像データファイルを送信するかを決定するものを示したが、他の決定方法を適用するようにしても良い。例えば、映像チャネルを確立する際の相手端末との呼制御パケットの授受の際に、相手端末から指定レートを取り込むようにしても良い。また例えば、認証用のユーザ情報の中に指定レート情報を含めておき、認証処理時に、指定レートを認識するようにしても良い。
【００５１】
さらに、上記実施形態では、原映像データファイルの種類数が１種類のものを示したが、原映像データファイルの種類も、複数種類あっても良い。この場合には、映像チャネルの確立時にまず、原映像データファイルの種類を、相手端末側に指定させることになる。ここで、原映像データファイルとして静止画及び動画が混在していても良く、いずれにせよ、図４に示すデータ構造の回線伝送形式映像データファイルに変換される。
【００５２】
さらにまた、上記実施形態では、相手端末がテレビ電話機及びＩＰテレビ電話機である場合を示したが、映像データの通信であるので、音声処理機能を備えない端末（例えば、電話機能などを搭載していないパソコン）であっても良い。
【００５３】
上記実施形態では、送信に供する原データファイルが映像データファイルであるものを示したが、映像・音声の複合データファイルであっても良い。この場合、複合データファイルを、映像データファイル及び音声データファイルに分離し、映像データファイルに対して上記実施形態で説明した作成処理を行う。音声データについては、以下に例示する２種類の方法で対応する。第１は、回線伝送形式映像データファイルのデータの１単位の末尾にその映像部分に対応する音声データも付与し、映像チャネルによって、音声データも送信する。第２は、映像チャネルとは別個の音声チャネルを確立させ、映像及び音声データを並行して送信する。
【００５４】
また、上記実施形態では、常に、予め作成された複数種類の回線伝送形式映像データファイルの中から１種類を選択して送信するものを示したが、相手端末の能力、仕様などが予め作成した回線伝送形式映像データファイルとの整合性が悪い場合など、特殊な場合には、映像データファイルが要求されてから、新たな種類の回線伝送形式映像データファイルを作成して送信するようにしても良い。このようにして送信した新たな種類の回線伝送形式映像データファイルも格納し、それ以降は、選択候補に用いるようにしても良い。
【図面の簡単な説明】
【００５５】
【図１】実施形態の映像データ送信システムの全体構成を示すブロック図である。
【図２】従来の映像データ送信装置の処理の説明図である。
【図３】実施形態の送信用映像データ作成装置の機能的構成を示すブロック図である。
【図４】実施形態の回線伝送形式映像データファイルの構成を示す説明図である。
【図５】実施形態の映像データ送信装置の機能的構成を示すブロック図である。
【図６】実施形態のテレビ電話機に送信させる回線伝送形式映像データファイルの決定方法の一例を示す説明図である。
【符号の説明】
【００５６】
１０…映像データ送信システム、１１…映像データ送信装置、１２…送信用映像データ作成装置、２０…原映像データファイル格納部、２１Ｈ、２１Ｍ、２１Ｌ…エンコード部、２２Ｈ、２２Ｍ、２２Ｌ…転送プロトコルヘッダ付加部、２３Ｈ、２３Ｍ、２３Ｌ…データヘッダ付加部、２４Ｈ、２４Ｍ、２４Ｌ、３２Ｈ、３２Ｍ、３２Ｌ…回線伝送形式映像データファイル格納部、２５…ファイル転送部、３０…通信部、３１…転送制御部、３３…ユーザ情報記憶部。
【図１】
2007019953.tif 000003
【図２】
2007019953.tif 000004
【図３】
2007019953.tif 000005
【図４】
2007019953.tif 000006
【図５】
2007019953.tif 000007
【図６】
2007019953.tif 000008